(57)【要約】【課題】画像形成に関する各種設定内容を見やすく画面表示してユーザの使い勝手を向上させること。【解決手段】本発明は、画像形成に関する諸設定の情報を表示する表示操作部７と、表示操作部７に諸設定を確認する画像を表示させる切り換えを行う設定確認ボタンＢと、設定確認ボタンＢが押下された際、諸設定を示す複数の項目を複数のグループに分けて各グループをページ切り換え可能な画像によって表示操作部７へ表示させる表示制御手段とを備えている。【選択図】        図３
2004333532.tif 000002
【特許請求の範囲】
【請求項１】
画像形成に関する諸設定の情報を表示する表示手段と、
前記表示手段に前記諸設定を確認する画像を表示させる切り換えを行う設定確認ボタンと、
前記設定確認ボタンが押下された際、前記諸設定を示す項目を複数のグループに分けて各グループをページ切り換え可能な画像によって前記表示手段へ表示させる表示制御手段とを備えることを特徴とする画像形成装置。
【請求項２】
前記表示制御手段は、前記画像形成で必須となる設定項目を１つのグループとして最初のページとなる画像を前記表示手段へ表示させることを特徴とする請求項１記載の画像形成装置。
【請求項３】
前記表示制御手段は、前記諸設定を示す項目のうち予め定められた項目を１つのグループとして最初のページとなる画像を前記表示手段へ表示させることを特徴とする請求項１記載の画像形成装置。
【発明の詳細な説明】
【０００１】
【発明の属する技術分野】
本発明は、原稿イメージを読取、指定された画像形成条件に応じて所定の用紙上へ画像を転写する画像形成装置に関する。
【０００２】
【従来の技術】
従来、コピーなどの画像形成を行う上での基本条件とは別に、各種形態に画像処理を行う画像処理機能を備えた画像形成装置がある。この画像形成装置では、基本条件および各種画像処理機能の設定入力を行うため、各種設定を行うための表示画面に切り換えて表示を行う表示部が設けられており、この表示部の表示内容に基づいて設定入力を受け付ける操作部も設けられている。
【０００３】
この画像形成装置では、表示切り換えを行うための特定キーを操作することで、上記表示画面に代えて既に設定入力された全ての各種画像処理機能を一覧表示することができるようになっている（例えば、特許文献１参照。）。
【０００４】
【特許文献１】
特許第２７１９１３７号公報
【０００５】
【発明が解決しようとする課題】
しかしながら、このような画像形成装置では、全ての各種画像処理機能を表示画面に一覧表示するため、特に多くの画像処理機能を備えた画像形成装置においては、多くの設定項目および設定値を１つの画面上に表示することとなり、表示が細かくなってしまうことで各項目が非常に見にくくなるという問題が生じている。
【０００６】
【課題を解決するための手段】
本発明は、このような課題を解決するために成されたものである。すなわち、本発明は、画像形成に関する諸設定の情報を表示する表示手段と、表示手段に諸設定を確認する画像を表示させる切り換えを行う設定確認ボタンと、設定確認ボタンが押下された際、諸設定を示す項目を複数のグループに分けて各グループをページ切り換え可能な画像によって表示手段へ表示させる表示制御手段とを備えている。
【０００７】
このような本発明では、設定確認ボタンが押下された際、表示制御手段が諸設定を示す項目を複数のグループに分けて各グループをページ切り換え可能な画像として表示手段へ表示させるため、諸設定の確認を見やすいグループ分けで表示できるようになる。また、このグループ分けによって画像形成に必須の項目を最初のページに表示すれば、重要な項目を一目で確認できるようになる。
【０００８】
【発明の実施の形態】
以下、本発明の実施の形態を図に基づき説明する。図１は、本実施形態に係る画像形成装置を説明する外観図である。すなわち、この画像形成装置１は、大別すると、画像読取部２、画像処理部３、画像形成部４、用紙送り部５、用紙排出部６、表示操作部７とを備えている。
【０００９】
画像読取部２は、プラテンガラス２１上に載置された原稿や図示しない原稿送り機構によってプラテンガラス２１上に送り込まれた原稿の画像（イメージ）を読み取って画像信号を得る部分である。
【００１０】
画像処理部３は、画像読取部２で読み取った画像信号を得て、予め設定された画像形成条件に応じた各種の処理を画像信号に施す部分である。また、画像形成部４は、画像処理部３で処理された画像信号に基づき図示しない感光体上に静電潜像、トナー像を形成し、用紙送り部５から送られた用紙へトナー像を転写、定着させる部分である。
【００１１】
用紙送り部５は、用紙を収納するカセット５１や手差しトレー５２に載置された用紙を１枚ずつ画像形成部４へ送り出す機構を備えている。
【００１２】
用紙排出部６は、画像形成部４で画像の転写、定着された用紙を排出トレー６１へ送り出す部分である。なお、用紙排出部６と隣接して図示しない後処理装置を取り付ける場合もある。後処理部では、送られてきた用紙に対して丁合い、仕分け、紙揃え、ステイプル、穴開け、折り込み等の後処理を施す部分である。
【００１３】
表示操作部７は、タッチパネルから成る画面（表示部）および各種ボタン（キースイッチ部）から構成され、画像形成に関する各種の設定情報を表示したり、設定内容の変更を受け付けたりする部分となる。ユーザはこの表示操作部７の画面を参照して各種の設定やコピー開始指示等を行い所望の画像形成を行うことになる。
【００１４】
図２は、本実施形態に係る画像形成装置の制御構成を示すブロック図である。図２において、制御部１０は、画像形成装置全体の処理動作を制御するもので、ＣＰＵ（中央演算処理装置）によって構成されている。この制御部１０には、前述した画像読取部２、画像処理部３、画像形成部４、用紙送り部５、用紙排出部６および表示操作部７が接続されている。
【００１５】
表示操作部７は、主にユーザによって操作されるもので、例えば、各種のメッセージや情報を表示する表示部および入力操作のためのボタン、スイッチ類から成るキースイッチ部を有する。図３は、表示操作部の外観を説明する模式図である。表示操作部７の表示部７１はタッチパネルとなっており、各種の設定ボタン（アイコン）の表示とその設定ボタンの押下による指示の受付を行うことができる。また、表示部の横には独立したキースイッチ部７２が設けられており、表示部７１での指示とは別個にコピー動作を開始や中止、コピー枚数の指定等の指示を行うことができるようになっている。
【００１６】
また、キースイッチ部７２には、表示部７１に表示されている各種設定項目の設定情報を確認するための設定確認ボタンＢが設けられており、この設定確認ボタンＢを押下すると表示部７１には各種設定項目の確認画面が優先的に表示されることになる。このような表示部７１の画面の生成や画面の切り換えは図２に示す制御部１０が表示制御手段として機能して制御するようになっている。
【００１７】
このような画像形成装置では、原稿イメージを読み取り、指定された画像処理機能（イメージ）を実施し、指定された用紙上にコピー画像を形成し、指定された画像処理機能（フィニッシング）を実施して排出することができる。
【００１８】
画像形成装置で指定できる画像処理機能としては、例えば次のよう機能が挙げられる。
▲１▼基本コピー機能…用紙トレー、倍率、両面／片面、仕分け、サンプルコピー、大量原稿。
▲２▼応用コピー機能…わく消し、コピー位置／とじ代、原稿サイズ入力、ページ連写、ミックスサイズ原稿送り、原稿セット向き、ブック両面。
▲３▼画質調整機能…濃度、原稿種類、濃度バランス、シャープネス、おまかせ画質調整。
▲４▼出力形式機能…まとめて１枚、ＯＨＰ合紙、排出面指定、イメージリピート、表紙付け、小冊子作成、アノテーション、タブ紙コピー、折り指定。
【００１９】
このような各種機能の設定は、表示操作部７の画面表示に沿って行うことができる。図４は、コピー設定画面例を示す模式図である。このコピー設定画面Ｇ１には、基本コピー機能、応用コピー機能、画質調整機能、出力形式機能などがスタック形式で表示されており、画面内のそれぞれのタブボタンを押下することにより、設定画面を切り換えて設定できる。
【００２０】
所望の設定を行った後、原稿を自動原稿送り装置等にセットし、図３に示すキースイッチ部７２のスタートキーを押下することで、コピージョブを開始できる。ここで、各種機能の設定完了後、または設定途中でキースイッチ部７２の設定確認ボタンＢを押下することにより、設定した各種画像処理機能を表示部７１に表示させることができる。特に、本実施形態では、各種設定項目を複数のグループに分けて、各グループをページ切り換え可能な画面で表示する点に特徴がある。
【００２１】
図５は、設定確認ボタンＢを押下して最初に表示される画面の例を示す模式図である。本実施形態では、最初に表示する画面Ｇ１１として基本コピー機能の項目、もしくはユーザの予め設定した項目を１つのグループとしたものが表示される。これにより、ユーザが必要とする項目だけを一目で確認することが可能となる。なお、図５に示す例では、基本コピー機能の項目が最初に表示されている。
【００２２】
また、最初の画面Ｇ１１にはページ切り換えのボタンが設けられており、例えば「次頁」ボタンＢＮを選択すると、図６に示す次の画面Ｇ１２が表示される。図６では、応用コピー機能の項目が１つのグループとして表示されている。また、この画面Ｇ１２にもページ切り換えボタンが設けられており、例えば「次頁」ボタンＢＮを選択すると、図７に示す次の画面Ｇ１３が表示される。一方、「前頁」ボタンＢＢを選択すると、図５に示す画面Ｇ１１が表示される。図７では、画質調整機能の項目および出力形式機能の項目が１つのグループとして表示されている。
【００２３】
各ページの画像において、次のページがない場合や前のページがない場合には、対応するページ切り換えボタンの表示をグレー等にして選択できないことをユーザに認識させるようにしてもよい。また、設定確認ボタンＢを押下したときに表示する画面を、ユーザーが予め登録した画面（例えば図６や７）としてもよい。
【００２４】
このように、ユーザが設定情報の確認を行う場合、必要な項目のみが最初のページに表示されることで、一目でユーザの必要な項目を確認できるようになる。また、複数ページに分けて表示することで１ページに表示される各項目を大きく表示でき、認識性を高めることも可能となる。
【００２５】
【発明の効果】
以上説明したように、本発明によれば次のような効果がある。すなわち、各種画像処理機能を一覧表示するときに複数の画面（グループ）に分割してページ切り換え可能な状態で表示することにより、それぞれの設定値を見やすくすることが可能となる。また、各種画像処理機能を複数の画面に分けて一覧表示する際、初めのページに表示する画面上に画像形成を行う上での基本条件やユーザの設定した項目を表示するので、基本機能やユーザが必要とする情報を最初に一目で確認することが可能となり、ユーザの使い勝手を向上させることが可能となる。
【図面の簡単な説明】
【図１】本実施形態に係る画像形成装置を説明する外観図である。
【図２】本実施形態に係る画像形成装置の制御構成を示すブロック図である。
【図３】表示操作部の外観を説明する模式図である。
【図４】コピー設定画面例を示す模式図である。
【図５】設定確認ボタンを押下して最初に表示される画面の例を示す模式図である。
【図６】次のページの画面の例を示す模式図である。
【図７】更に次のページの画面の例を示す模式図である。
【符号の説明】
１…画像形成装置、２…画像読取部、３…画像処理部、４…画像形成部、５…用紙送り部、６…用紙排出部、７…表示操作部、１０…制御部、２１…プラテンガラス、５１…カセット、５２…手差しトレー、６１…排出トレー、７１…表示部、７２…キースイッチ部
【図１】
2004333532.tif 000003
【図２】
2004333532.tif 000004
【図３】
2004333532.tif 000005
【図４】
2004333532.tif 000006
【図５】
2004333532.tif 000007
【図６】
2004333532.tif 000008
【図７】
2004333532.tif 000009